(57)【要約】【課題】複雑な形状を容易に作成可能であるとともに、深い凹凸を備えることで立体感を得られる装飾品を提供する。【解決手段】絵画が描かれるキャンバス部１０と、キャンバス部１０の表面に固着される造形部２０と、を備え、造形部２０は、粘土とモデリングペーストを混ぜ合わせて構成されていることを特徴とし、造形部２０に、アクリル絵具がさらに混ぜ合わされているものが好ましく、さらに、造形部２０に、一部が造形部２０の表面から露出するように固形装飾体２１が埋設されているものが好ましい。【選択図】図１
0003166224.tif 000002
【実用新案登録請求の範囲】
【請求項１】
絵画が描かれるキャンバス部と、
前記キャンバス部の表面に固着される造形部と、を備え、
前記造形部は、粘土とモデリングペーストを混ぜ合わせて構成されている
ことを特徴とする装飾品。
【請求項２】
前記造形部は、アクリル絵具がさらに混ぜ合わされている
ことを特徴とする請求項１に記載の装飾品。
【請求項３】
前記造形部には、固形装飾体が埋設されている
ことを特徴とする請求項１または請求項２に記載の装飾品。
【請求項４】
前記キャンバス部の背面には、補強下地板が全面接着されて設けられている
ことを特徴とする請求項１乃至請求項３のいずれか一項に記載の装飾品。
【考案の詳細な説明】
【技術分野】
【０００１】
本考案は、装飾品に関する。
【背景技術】
【０００２】
装飾品となる絵画は、平面のキャンバスに描かれるのが一般的である。その絵画において凹凸を表現するにはキャンバスの表面に油絵具やモデリングペーストを重ね塗りして、厚みを持たせる手法が以前より知られている。
【考案の概要】
【考案が解決しようとする課題】
【０００３】
しかしながら、従来の油絵具やモデリングペーストの塗り重ねる手法では、これらを塗り重ねる作業が大変であって、多くの手間と時間を要する上に、ある程度の厚みしか持たせることができず、複雑な形状や深い凹凸を形成するのは困難であった。
【０００４】
以上のような観点から、本考案は、従来よりも複雑な形状を容易に作成可能であって、深い凹凸を備えることで立体感を得られる装飾品を提供することを課題とする。
【課題を解決するための手段】
【０００５】
このような課題を解決するために創案された本考案は、絵画が描かれるキャンバス部と、前記キャンバス部の表面に固着される造形部と、を備え、前記造形部は、粘土とモデリングペーストを混ぜ合わせて構成されていることを特徴とする装飾品である。
【０００６】
ここで、造形部は、予め所望の形状に造形した後にキャンバス部に固着するようにしてもよいし、粘土とモデリングペーストを混ぜ合わせた混合材料をキャンバス部に貼り付けて重ね合わせながら造形するようにしてもよい。このような構成によれば、粘土によって造形部の造形性が高くなるので、複雑な形状で且つ深い凹凸を備えた造形部を容易に作成することができる。
【０００７】
また、本考案では、前記造形部は、アクリル絵具がさらに混ぜ合わされているものが好ましい。このような構成によれば、造形部が予め着色されたものとなるので、造形後の着色作業が容易になる。
【０００８】
さらに、本考案では、前記造形部には、固形装飾体が埋設されているものが好ましい。ここで、固形装飾体は、ガラス体、金属、水晶や樹脂からなる装飾物や宝石等、そのまま美観を感じることができる物体にて構成されている。固形装飾体は、その一部が前記造形部の表面から露出するように設けられる。このような構成によれば、着色、造形以外の表現方法によって美観を得られ、造形部の表現性が高くなる。
【０００９】
また、本考案では、前記キャンバス部の背面には、補強下地板が全面接着されて設けられているものが好ましい。このような構成によれば、造形部の重量が大きい場合であっても、キャンバスを変形させることなく支持することができる。
【考案の効果】
【００１０】
本考案の装飾品によれば、従来よりも複雑な形状を容易に作成可能であるとともに、深い凹凸を備えることで立体感を得られるといった優れた効果を発揮する。
【図面の簡単な説明】
【００１１】
【図１】本考案の第一実施形態に係る装飾品を示した正面斜視図である。
【図２】本考案の第一実施形態に係る装飾品のキャンバス部を示した正面斜視図である。
【図３】本考案の第二実施形態に係る装飾品を示した正面斜視図である。
【図４】本考案の第二実施形態に係る装飾品を示した断面図である。
【考案を実施するための形態】
【００１２】
本考案に係る装飾品は、絵画を基本として改良した芸術装飾品であって、絵画に立体的要素を組み合わせたもの（以下、「造形絵画」と称する場合がある）である。以下に、本考案の具体的な一例（第一実施形態）を挙げて説明する。
【００１３】
図１に示すように、本考案の第一実施形態に係る装飾品１は、絵画が描かれるキャンバス部１０と、キャンバス部１０の表面に固着される造形部２０と、キャンバス部１０の背面に設けられる補強下地板３０（図２参照）とを備えている。
【００１４】
キャンバス部１０は、図２に示すように、矩形枠状の木枠１１にキャンバス１２をピンと伸ばして張って構成されている。キャンバス１２は、主に亜麻の繊維から作られているが、使用する絵具の種類に応じて、大麻、亜麻と大麻の混合繊維、綿、合成繊維などから作られる場合もある。油絵具を用いる場合、キャンバス１２は、油絵具が直接触れて傷むのを防止するために、使用前に地塗りが施されている。地塗りは、油絵具の酸化重合からキャンバスを守るためにその表面に絶縁層を塗る作業である。なお、キャンバス部１０は、木枠１１に代えて、キャンバス部全面に広がる木板或いは厚紙を下地として用いて、この下地にキャンバスを接着して構成する場合もある。この場合は、補強下地板は設けなくてよい。
【００１５】
造形部２０は、図１に示すように、三次元的に形成されるものであって、キャンバス部１０の表面に固着されることで、絵画表面から突出する立体部分を構成する。本実施形態では、動物（トナカイ）を表現した造形部２０が形成されている。この造形部２０は、粘土とモデリングペーストとアクリル絵具とを混ぜ合わせて構成されている。粘土は、例えば、白い紙粘土が用いられており、絵具が良好に発色するように構成されている。モデリングペーストは、例えば大理石の粉末とアクリルエマルジョンからなるパテ状の白色下地剤である。このように、造形部２０にアクリル絵具を混ぜ合わせることで、下地がアクリル絵具の色になるので、後の着色作業を省略できる。また、混ぜ合わせる度合いによって、造形部２０の表面に斑模様やグラデーション模様を作成することができる。なお、アクリル絵具は、必ずしも最初から混ぜ合わせなければならないものではなく、粘土とモデリングペーストのみを混ぜ合わせて未着色の白い造形部を形成して、その表面に着色するようにしてもよい。
【００１６】
トナカイの目の部分には、固形装飾体２１が埋設されている。固形装飾体２１は、例えばガラス球にて構成されており、目の水晶体を表現している。固形装飾体２１は、その一部が造形部２０の表面から露出するように埋設されている。ガラス球は、目の色に合わせた色のものを用いてもよいし、透明なガラス球を用いてその埋設部分となる凹部の内表面を着色するようにしてもよい。
【００１７】
補強下地板３０は、造形部２０の荷重によるキャンバス１２の弛みを抑制するためのものである。補強下地板３０は、アルミニウム製の板材にて構成されており、木枠１１の内側の矩形形状と同等の形状を呈している。補強下地板３０は、木枠１１の内側に配置され、木枠１１の内側のキャンバス１２の背面（キャンバス部１０の背面）に全面接着されている。なお、図２（および図３）において、補強下地板３０を示す破線が、木枠１１の内側面を示す破線と離れて図示されているが、これは、これらの線を区別するためであって、実際は補強下地板３０の外周線と、木枠１１の内周線は当接している。
【００１８】
これによって、造形部２０の背面には、キャンバス１２を介して、補強下地板３０または木枠１１が位置することになる。したがって、造形部２０の荷重は、キャンバス１２の一部に集中することなく、補強下地板３０または木枠１１に面的に伝達されることとなる。よって、キャンバス１２が負担する荷重の密度は大きくならないので弛むことはない。なお、補強下地板３０の荷重および補強下地板３０に伝達された荷重は、木枠１１の下辺部に伝達されるので、キャンバス１２に負担をかけない。
【００１９】
次に、前記構成の装飾品１の作成方法について説明する。
【００２０】
まず、キャンバス部１０の背面に、補強下地板３０としてアルミニウム製の板材を接着剤にて貼り付ける。このとき、木枠１１とキャンバス１２の背面とを接着剤にて接着しておくのが好ましい。補強下地板３０は、木枠１１の内側に挿入され、キャンバス１２の背面に全面接着される。補強下地板３０の下端は、木枠１１の下辺部に当接するように配置する。
【００２１】
造形部２０は、予め所望の形状に造形しておき、形状が完成されたものをキャンバス部１０に固着する。造形部２０のキャンバス部１０への固着は、接着剤を用いた接着にて行う。接着剤は造形部２０の背面全体に塗布され、造形部２０の背面全体がキャンバス部１０の表面に接着される。造形部２０の接着後、キャンバス部１０への着色、描画を行う。また、これと同時に造形部２０への描画、仕上げを行う。造形部２０が着色されていない場合（アクリル絵具が混ぜ込まれていない場合）は、造形部２０の描画の前に下地色を着色する。なお、キャンバス部１０への着色、描画は、造形部２０の接着よりも先行して行っていてもよい。
【００２２】
なお、本実施形態では、造形部２０を接着剤にて、キャンバス部１０に接着しているが、造形部２０の重量が大きい場合には、ボルト・ナット等の締結手段を用いて固着度を高めてもよい。この場合は、造形部２０の背面に、ボルト軸部が突出するようにボルトを埋設しておき、キャンバス１２および補強下地板３０に予め形成したボルト貫通孔に、ボルト軸部を貫通させて、補強下地板３０の背面からナットで固定するようにすればよい。
【００２３】
また、本実施形態では、造形部２０を造形してからキャンバス部１０に固着するようにしたが、これに限定されるものではない。粘土、モデリングペーストおよびアクリル絵具（アクリル絵具を含まない場合もある）を混ぜ合わせた材料を、キャンバス部１０の表面に重ね合わせながら造形して、造形部を形成してもよい。
【００２４】
以上のような装飾品１によれば、粘土によって造形部２０の粘度が高くなるので、複雑な形状で且つ深い凹凸を備えた造形部１０を容易に作成することができる。これによって、平面絵画と立体造形物のそれぞれの長所を兼ね備えた装飾品１を提供することができる。この装飾品１は、見る角度やライティングを変えることによって、種々の表情を得ることができる。
【００２５】
また、造形部２０に、アクリル絵具を混ぜ合わさると、造形部２０が予め着色されたものとなるので、造形後の着色作業が容易になる。さらに、造形部２０には、一部が造形部２０の表面から露出するように固形装飾体２１を埋設したことによって、着色、造形以外の表現方法によっても美観を得られるので、造形部２０の表現性が高くなる。
【００２６】
また、キャンバス部１０の背面に、補強下地板３０を全面接着して設けたことによって、造形部２０の重量が大きい場合であっても、キャンバス１２を変形させることなく支持することができる。さらに、補強下地板３０をアルミニウム製の板材にて構成しているので、軽量で強度が大きく、さらに耐久性を備えることができる。
【００２７】
次に、本考案の第二実施形態を説明する。図３に示すように、第二実施形態に係る装飾品２は、絵画が描かれるキャンバス部１５の表面に造形部２５が複数固着されている。本実施形態では、植物を表現した造形部２５が形成されており、葉や花などがそれぞれ独立して造形部２５によって表現されている。
【００２８】
造形部２５は、図４に示すように、葉の周縁部がキャンバス１２から浮き上がって隙間をあけるように形成されている。なお、造形部２５の端部を、キャンバス部１０の外周端縁部よりも外側に突出させるようにしてもよい。なお、図４は、図３のＡ−Ａ線で切断した断面図である。図３に示すように、本実施形態では、キャンバス部１５と造形部２５の両方に、葉と花がそれぞれ描写されて組み合わされている。造形部２５は、予め造形してからキャンバス部１５に固着してもよいし、キャンバス部１５に重ね合わせながら造形するようにしてもよい。
【００２９】
本実施形態では、造形部２５は、キャンバス１２の端部まで配置されているので、補強下地板３０が届かない木枠１１部分まで造形部２５の荷重がかかることとなる。したがって、木枠１１の表面とキャンバス１２の背面も接着剤にて全面接着しておくのが好ましい。このようにすれば、造形部２５の荷重は、キャンバス１２の一部に集中することなく、補強下地板３０または木枠１１に面的に伝達されることとなる。よって、キャンバス１２が負担する荷重の密度は大きくならないので、キャンバス１２が弛むことはない。
【００３０】
なお、本実施形態に係る装飾品２の作成方法については、前記実施形態と同等であるので説明を省略する。
【００３１】
以上、本考案を実施するための形態について説明したが、本考案は前記実施形態に限定されず、本考案の趣旨を逸脱しない範囲で適宜設計変更が可能である。例えば、本実施形態では、キャンバス部１０，１５が正面視矩形形状を呈しているが、これに限定されるものではなく、多角形形状、円形形状、楕円形形状等の他の形状であってもよい。また、補強下地板３０は、アルミニウム製の板材に限定されるものではなく、必要な強度を有していれば他の材質であってもよいのは勿論である。さらに、造形部の重量が軽い場合には、補強下地板を設けない場合もある。
【００３２】
また、本考案は、完成した装飾品１，２として、説明したが、無地のキャンバスに無地の造形部を固着するようにすれば、造形絵画用画材として利用することも可能である。
【符号の説明】
【００３３】
１      装飾品
２      装飾品
１０    キャンバス部
１１    木枠
１２    キャンバス
１５    キャンバス部
２０    造形部
２１    固形装飾体
２５    造形部
３０    補強下地板
【図１】
0003166224.tif 000003
【図２】
0003166224.tif 000004
【図３】
0003166224.tif 000005
【図４】
0003166224.tif 000006